(57)【要約】【課題】オートフォーカスモードによらず、常に適正な露出を与えることを可能にするカメラを提供する。【解決手段】撮影画面を複数に分割して測光を行う複数の測光エリアを持つ測光手段と、測光エリアの中央付近に配置されるＡＦエリアと、隣接する測光エリアの境界線に跨って配置されるＡＦエリアをそれぞれ複数持つＡＦ手段と、自動選択オートフォーカスモードが選択された場合は、隣接する測光エリアの境界に跨って配置されるＡＦエリアを有効にし（Ｓ１０３）、任意選択オートフォーカスモード時には、測光エリアの中央付近に配置されるＡＦエリアを有効にする（Ｓ１０２）ＡＦエリア有効手段とを有する。【選択図】図５
2010190925.tif 000002
【特許請求の範囲】
【請求項１】
撮影画面を複数に分割して測光を行う複数の測光エリアを持つ測光手段と、
前記測光エリアの中央付近に配置されるＡＦエリアと、隣接する前記測光エリアの境界に跨って配置されるＡＦエリアをそれぞれ複数持つＡＦ手段とを有し、
前記複数のＡＦエリアのうちから自動でＡＦエリアを選び出し、該ＡＦエリアの出力信号に基づいてオートフォーカスを行う自動選択オートフォーカスモードと、前記複数のＡＦエリアのうちから外部操作により任意に選択されたＡＦエリアの出力信号に基づいてオートフォーカスを行う任意選択オートフォーカスモードとを選択可能なカメラにおいて、
前記自動選択オートフォーカスモードが選択された場合は、隣接する前記測光エリアの境界に跨って配置されるＡＦエリアを有効にし、前記任意選択オートフォーカスモードが選択された場合は、前記測光エリアの中央付近に配置されるＡＦエリアを有効にするＡＦエリア有効手段を有することを特徴とするカメラ。
【請求項２】
前記自動選択オートフォーカスモードの時には、自動選択されたＡＦエリアが跨る前記測光エリアのうちの輝度の低い方の測光エリアにて得られる測光情報を基準に露光制御を行い、前記任意選択オートフォーカスモードの時には、任意に選択された前記ＡＦエリアを中央付近に有する前記測光エリアにて得られる測光情報を基準に露出制御を行う露出制御手段を有することを特徴とする請求項１に記載のカメラ。
【発明の詳細な説明】
【技術分野】
【０００１】
本発明は、撮影画面内に複数のＡＦエリアと複数の測光エリアを有するカメラに関するものである。
【背景技術】
【０００２】
従来、撮影画面内に複数のＡＦエリアと複数の測光エリアを有すると共に、自動選択オートフォーカスモード（以下、自動選択ＡＦモードとも記す）と任意選択オートフォーカスモード（以下、任意選択ＡＦモードとも記す）とを選択可能なカメラが知られている。なお、自動選択ＡＦモードとは、複数のＡＦエリアから自動で選択されたＡＦエリアの出力信号を用い、ＡＦを行うモードである。任意選択ＡＦモードとは、複数のＡＦエリアから任意に外部操作により選択された１つのＡＦエリアの出力信号を用いてＡＦを行うモードである。
【０００３】
この種のカメラにおいて、測光エリアに対するＡＦエリアが、測光エリアの中央付近や境界を跨ぐような配置であった場合には、適正な測光値を得るために測光演算を工夫した提案はあった。しかし、自動選択ＡＦモード時にＡＦエリアを限定するような提案はなされていない。
【０００４】
特許文献１には、分割測光エリアの境界線上のＡＦエリアで合焦した場合、その隣接した測光エリアの測光値を比較して測光演算するというものが提案されている。
【先行技術文献】
【特許文献】
【０００５】
【特許文献１】特願２０００−０９５８２号公報
【発明の概要】
【発明が解決しようとする課題】
【０００６】
ところが、人物撮影では、自動選択ＡＦモード時には顔のエッジ部分のコントラストが強い場合が多く、顔のエッジで合焦する場合が多い。そのため、測光演算の工夫をしても、その測光エリアには被写体と背景が存在するため、その対応測光エリアで測光すると背景の明るさに引かれ、アンダーになることがあった。また、合焦の結果で露出にばらつきがあるという問題も起きていた。
【０００７】
図８を用いて、上記の問題点について説明する。
【０００８】
画面内に複数の測光エリアと複数のＡＦエリアを有し、これらが後述の図２のような配置関係にあるカメラにおいて、ＡＦモードとして、デフォーカス量やコントラスト情報でＡＦエリアが自動に選択される自動選択ＡＦモードが選択されているとする。図８（ａ）および図８（ｂ）には、人間の顔と背景のコントラストにより顔の輪郭で合焦した例を示す。ここで、図８（ａ）と図８（ｂ）を比較すると、図８（ａ）の場合は、画面中心の測光エリアの真中に配置されるＡＦエリアに合焦した例である。太い枠で囲んだ測光エリアを基準にして測光演算が行われた場合、背景の明るさに引かれてアンダーになることが想像できる。図８（ａ）の場合は、２つの測光エリアの境界上、つまり境界を跨いだＡＦエリアに合焦した例であり、２つの測光エリアの輝度の低いエリアを選ぶとし、太い枠で囲んだ測光エリアを基準にして測光演算された場合、被写体が適正になることが想像できる。
【０００９】
このように、自動選択ＡＦモードの場合は、人の顔のコントラストが低い鼻に合焦する場合より、コントラストの高い顔の輪郭で合焦する。したがって、測光エリアとＡＦエリアの配置関係で、被写体が適正に露光されなかったり、各駒毎にばらつきが出てしまったりするという問題があった。
【００１０】
（発明の目的）
本発明の目的は、オートフォーカスモードによらず、適正な露出を与えることのできるカメラを提供しようとするものである。
【課題を解決するための手段】
【００１１】
上記目的を達成するために、本発明は、撮影画面を複数に分割して測光を行う複数の測光エリアを持つ測光手段と、前記測光エリアの中央付近に配置されるＡＦエリアと、隣接する前記測光エリアの境界に跨って配置されるＡＦエリアをそれぞれ複数持つＡＦ手段とを有し、前記複数のＡＦエリアのうちから自動でＡＦエリアを選び出し、該ＡＦエリアの出力信号に基づいてオートフォーカスを行う自動選択オートフォーカスモードと、前記複数のＡＦエリアのうちから外部操作により任意に選択されたＡＦエリアの出力信号に基づいてオートフォーカスを行う任意選択オートフォーカスモードとを選択可能なカメラにおいて、前記自動選択オートフォーカスモードが選択された場合は、隣接する前記測光エリアの境界に跨って配置されるＡＦエリアを有効にし、前記任意選択オートフォーカスモードが選択された場合は、前記測光エリアの中央付近に配置されるＡＦエリアを有効にするＡＦエリア有効手段を有するカメラとするものである。
【発明の効果】
【００１２】
本発明によれば、オートフォーカスモードによらず、常に適正な露出を与えることができるカメラを提供できるものである。
【図面の簡単な説明】
【００１３】
【図１】本発明の一実施例に係るカメラの全体構成を示すブロック図である。
【図２】図１のカメラの全ＡＦエリアと全測光エリアの配置関係を示す図である。
【図３】本実施例においてＡＦモードに応じた選択ＡＦエリアを示す図である。
【図４】本実施例に係るカメラの動作を示すフローチャートである。
【図５】本実施例におけるＡＦエリア有効動作を示すフローチャートである。
【図６】本実施例において測光エリア選択動作を示すフローチャートである。
【図７】本実施例における人物、測光エリア、ＡＦエリアの関係を示す図である。
【図８】従来カメラでの人物、測光エリア、ＡＦエリアの関係を示す図である。
【発明を実施するための形態】
【００１４】
本発明を実施するための最良の形態は、以下の実施例に示す通りである。
【実施例】
【００１５】
図１は本発明の一実施例に係るカメラの概略構成を示すブロック図である。図１において、１はカメラ本体内のマイクロコンピュータ１６と通信を行う交換式の撮影レンズであり、ズームレンズを含むものである。撮影レンズ１内にはＡＦ駆動回路１ａおよび絞り駆動回路１ｂが具備されている。ＡＦ駆動回路１ａは、マイクロコンピュータ１６からの駆動信号を基にステッピングモータ等のアクチュエータを駆動してフォーカスレンズのピント合わせを行う。上記駆動信号を生成するためのフォーカス演算に用いられるデフォーカス量は、複数のＡＦエリアを持つＡＦセンサ２４の出力を用いて算出される。絞り駆動回路１ｂは、マイクロコンピュータ１６からの駆動信号を基に不図示の絞りを駆動して光学的な絞り値を変化させるものである。
【００１６】
上記マイクロコンピュータ１６は、撮影レンズ１との通信により、ズームレンズの現在のズーム位置（焦点距離情報）、現在の距離環位置（被写体距離）の情報を収得することが可能である。また、撮影レンズ１と通信可能であるか否かにより、撮影レンズ１がカメラ本体に装着されているか、未装着状態であるかを判定することができる。
【００１７】
以下、カメラ本体内の構成について説明する。２はクイックリターンミラーである。このクイックリターンミラー２にはＡＦ光学系に光を導くためのハーフミラー２ａが取り付けられており、このサブミラー２ａもクイックリターンミラー２のアップもしくはダウンに連動して作動するようになっている。
【００１８】
３はフォーカッシングスクリーンであり、撮影者はペンタプリズム４とファインダ光学系を通して該フォーカシングスクリーン３を観察することで、撮影レンズ１を通して映し出された像のピントや構図の確認が可能である。５はフォーカルプレーンシャッタであり、マイクロコンピュータ１６からの制御信号により後述のＣＣＤ６の露光時間を自由に制御できる。フォーカルプレーンシャッタ５は一般的には先幕、後幕から構成され、２枚の幕の間隔で自由な露光時間が制御される。６は撮像素子であるところのＣＣＤ（電荷結合素子）であり、撮影レンズ１によって結像された被写体像を光電変換して電気信号として取り出す。
【００１９】
７はクランプ／ＣＤＳ回路、８はＡＧＣ（自動利得制御）回路であり、これらはＡ／Ｄ変換をする前の基本的なアナログ処理を行うものであり、マイクロコンピュータ１６により、クランプレベルやＡＧＣ基準レベルの変更も可能である。９は入力されるアナログのＣＣＤ出力信号をデジタル信号に変換するＡ／Ｄ変換部であり、設定されているＩＳＯ感度に応じた変換を行う。
【００２０】
１０は映像信号処理回路であり、デジタル化されたＣＣＤ画像データに、フィルタ処理、色変換処理、ガンマー／ニー処理を行い、メモリコントローラ１３に出力する。他方、この映像信号処理回路１０はＤ／Ａ変換部が内蔵されており、ＣＣＤ６から入力される映像信号や、メモリコントローラ１３から逆に入力される画像データをアナログ信号に変換し、液晶駆動回路１１を通して液晶表示部１２に出力することも可能である。これらの機能切り換えはマイクロコンピュータ１６とのデータ交換により行われ、ホワイトバランス情報をマイクロコンピュータ１６に出力可能である。その情報を基にマイクロコンピュータ１６はホワイトバランス調整を行う。
【００２１】
マイクロコンピュータ１６の指示により、何もせずにメモリコントローラ１３を通してバッファメモリ１９に画像データを保存することも可能である。メモリコントローラ１３は、映像信号処理回路１０から入力された未処理のデジタル画像データをバッファメモリ１９に格納する。そして、処理済みのデジタル画像をメモリ１４に格納したり、逆にバッファメモリ１９やメモリ１４から画像データを映像信号処理回路部１０に出力したりする。また、メモリコントローラ１３は、外部からインターフェイス１５を経て送られて来る映像をメモリ１４に記憶したり、メモリ１４に記憶されている画像をインターフェイス１５から外部へ出力したりすることも可能である。メモリ１４は取り外し自由である場合もある。
【００２２】
１７は電源であり、各ＩＣや駆動系に必要な電源を供給する。１８は操作状態検出回路であり、マイクロコンピュータ１６に後述のスイッチの操作状態を伝え、マイクロコンピュータ１６はその操作状態変化に応じて各部をコントロールする。２０ａ（ＳＷ１）はレリーズ釦の半押し状態でオンするスイッチであり、２０ｂ（ＳＷ２）はレリーズ釦の全押し状態でオンするスイッチであり、共にオンすることにより撮影が行われる。
【００２３】
上記操作状態検出回路１８には、上記レリーズ釦（スイッチＳＷ１，ＳＷ２）の他に、ＩＳＯ設定釦、画像サイズ設定釦、画質設定釦、情報表示釦、ＡＦ選択釦が接続されており、各釦（スイッチ）の状態が検出されている。なお、ＡＦ選択釦により自動選択ＡＦモードと任意選択ＡＦモードのいずれかを選択可能であり、さらに任意選択ＡＦモード時には任意のＡＦエリアを選択することができるものとする。
【００２４】
２１は液晶駆動回路であり、マイクロコンピュータ１６からの表示内容命令に従って外部液晶表示部２２やファインダ内液晶表示部２３を駆動する。
【００２５】
２４は画面の複数個所でＡＦ（焦点検出を含む）を可能にするＡＦセンサであり、後述の図２に示すように複数のＡＦエリア（焦点検出ポイントを含む）を持つ。マイクロコンピュータ１６は、このうちのいずれかのＡＦエリアの出力に基づいてデフォーカス量を算出する。そして、このデフォーカス量を基にフォーカスレンズ用の駆動信号を算出し、撮影レンズ１内のＡＦ駆動回路１ａに出力し、ピント合わせを行わせる。２５は後述の図２に示すように複数の測光エリアを有するＡＥセンサであり、ファインダスクリーン３上で測光し、撮影レンズ１を通した被写体の輝度を測定する。２６はローパスフィルタであり、赤外カットの機能も持つ。
【００２６】
図２は、本実施例に係るカメラに具備される全ての測光エリア３０と全ての測距ポント３１を示す図である。太枠の長方形により全ＡＦエリアを示しており、本実施例では、画面内に２１個有している。また、正方形状で全測光エリアを示しており、本実施例では、画面内（ファインダスクリーン３上）を縦５行、横７列の３５個に分割測光を可能にしている。
【００２７】
図３は、ＡＦ選択釦により任意選択ＡＦモードと自動選択ＡＦモードが選択された場合の、測光エリアに対する選択されるＡＦエリアについて説明するための図である。
【００２８】
図３（ａ）は、任意選択ＡＦモードが選択されている場合の、ＡＦエリア３１と測光エリア３０の配置関係を示す図である。この任意選択ＡＦモード時には、測光エリア３０の中央付近に配置された１３個のうちのいずれか１つのＡＦエリア３１ａをＡＦ選択釦により選択可能である。図３（ｂ）は、自動選択ＡＦモードが選択されている場合の、ＡＦエリア３１と測光エリア３０の配置関係を示す図である。この自動選択ＡＦモード時には、測光エリア３０の境界を跨いで配置された８個のうちからＡＦエリア３１ｂが自動選択される。
【００２９】
次に、マイクロコンピュータ１６での主要部分の動作について、図４のフローチャートを用いて説明する。
【００３０】
マイクロコンピュータ１６はステップＳ３００より動作を開始し、まず、ステップＳ３０１では、内蔵する電源ＯＦＦ用タイマーがタイムアウトしたかどうかの判定を行う。この結果、タイムアウトしたことを判定した場合は電源ＯＦＦの処理のために後述のステップＳ３２０へ進み、タイムアウトしていないと判定した場合はステップＳ３０２へ進む。
【００３１】
ステップＳ３０２へ進むと、マイクロコンピュータ１６は、各種の設定を行う。詳しくは、操作状態検出回路１８からの入力により、カメラのモードなどの各種の設定を行う。ＡＦ選択釦により選択されたＡＦモードやＡＦエリア３１の設定もここで行う。本実施例では、上記したように、自動選択ＡＦモードが選ばれたときは、図３（ｂ）の測光エリア３０の境界を跨ぐ８個のＡＦエリア３１ｂが同時に選ばれ、いずれかのＡＦエリア３１ｂが自動選択される。また、任意選択ＡＦモードが選ばれたときは、図３（ａ）の測光エリア３０の中央付近に配置された１３個のＡＦエリア３１ａのいずれかを外部操作（ＡＦ選択釦）により撮影者が選択可能であり、そのうちの１つが選択される。
【００３２】
次のステップＳ３０３では、マイクロコンピュータ１６は、ＡＦセンサ２４（選択されたＡＦエリア３１）からの出力信号よりＡＦ情報（以下、デフォーカス量）を算出して撮影レンズ１のＡＦ駆動回路１ａに出力し、フォーカスレンズの焦点調節を行う。
【００３３】
続くステップＳ３０４では、マイクロコンピュータ１６は、上記ステップＳ３０３にて合焦したＡＦエリアがあった場合は、そのＡＦエリアを基に、３５個の測光エリア３０を用いて被写体の輝度を測定する。そして、適正露出を得るためのシャッタ秒時や絞り値を演算する。一方、合焦したＡＦエリアが無かった場合は、中央の測光エリアを基準に、３５個からなる測光エリアを用いて被写体の輝度を測定し、適正露出を得るためのシャッタ秒時や絞り値を演算する。
【００３４】
上記の基準としたＡＦエリアを基にした測光演算は、多くのものが提案されているが、最も単純なものは、基準のＡＦエリアに対応した測光エリアを中心とした重点測光である。
【００３５】
ここで、自動選択ＡＦモード時と任意選択ＡＦモード時におけるＡＦエリア３１の選択（Ｓ３０３）の例と、選択されたＡＦエリアに対応する測光エリア３０の選択（Ｓ３０４）の例を、図５および図６のフローチャートを用いて説明する。
【００３６】
まず、図５のフローチャートを用いて、各ＡＦモード時における基準のＡＦエリアを選択する（有効とする）場合の例を説明する。
【００３７】
図５のステップＳ１０１では、ＡＦモードが任意選択ＡＦモードであるか否かを判定し、任意選択ＡＦモードであればステップＳ１０２へ進み、測光エリアの中央付近に配置された１３個のＡＦエリアを外部操作により選択可能にする。つまり、図３（ａ）に示すＡＦエリア３１ａのみを有効とする。一方、ＡＦモードが自動選択ＡＦモードであった場合はステップＳ１０３へ進み、測光エリア１０２の境界を跨いで配置された８個のＡＦエリアを選択する。つまり、図３（ｂ）に示すＡＦエリア３１ｂを有効とし、デフォーカス量、コントラスト値により１つのＡＦエリアを選ぶ。
【００３８】
次に、図６のフローチャートを用いて、ＡＦエリアに対応した測光エリアの選択する場合の例を説明する。
【００３９】
図６のステップＳ１１１では、ＡＦモードが任意選択ＡＦモードであるか否かを判定し、任意選択ＡＦモードであればステップＳ１１２へ進む。そして、図３に示す測光エリアの中央付近に配置されたＡＦエリアが使用されるので、合焦したＡＦエリアに対応した測光エリアにて得られる測光情報を基準に測光演算する。一方、ＡＦモードが自動選択ＡＦモードであった場合はステップＳ１１３へ進み、図３（ｂ）に示す測光エリアの境界を跨いで配置されたＡＦエリアが使用される。よって、合焦したＡＦエリアを跨ぐ測光エリアのうち、輝度の低い測光エリアの測光情報を基準（重み付け等）に測光演算する。
【００４０】
図７（ａ）は、図６のステップＳ１１２での測光演算時の、人物、測光エリア、ＡＦエリアの関係を示す図である。このようにすることにより、撮影者がＡＦエリアを選ぶ任意選択オートフォーカスモードで撮影した場合に、目に合焦させても適正露出が得られることになる。
【００４１】
また、図７（ｂ）は、図６のステップＳ１１３での測光演算時の、人物、測光エリア、ＡＦエリアの関係を示す図である。このようにすることにより、自動選択オートフォーカスで撮影した場合、顔の輪郭に合焦したとしても安定して適正露出が得られるようになる。
【００４２】
図４に戻り、次のステップＳ３０５では、マイクロコンピュータ１６は、設定した状態や、各種の設定状態を、外部液晶表示部２２などに表示させる。さらに、上記ステップＳ３０２で設定されたＩＳＯ感度、画像サイズ、画質に応じた画像サイズの予測値データをもとに、メモリコントローラ１３を通して、メモリ容量を確認し、比較して撮影可能残数を演算した結果も表示させる。さらに、上記ステップＳ３０３で検出されたピントの状態や上記ステップＳ３０４で演算されたシャッタ秒時や絞り値も表示させる。更には、上記ステップＳ３０３で判定された有効なＡＦエリアも表示させる。
【００４３】
次のステップＳ３０６では、マイクロコンピュータ１６は、レリーズ釦の半押し操作に連動するスイッチＳＷ１がオンされたか否かを判定し、オンされていなければステップＳ３０１へ戻る。一方、スイッチＳＷ１がオンされている場合はステップＳ３０７へ進み、電源ＯＦＦ用のタイマーの更新を行う。そして、次のステップＳ３０８にて、レリーズ釦の全押し操作に連動するスイッチＳＷ２がオンされているか否かを判定し、オンされていなければステップＳ３０１へ戻り、スイッチＳＷ２がオンされていれば画像の撮影を行うためにステップＳ３０９以降へと進む。
【００４４】
ステップＳ３０９へ進むと、マイクロコンピュータ１６は、クイックリターンミラー２を制御して撮影光路外へアップさせると共に、撮影レンズ１と通信し、絞り駆動回路１ｂを介して絞りを上記ステップＳ３０４で演算された絞り値に制御させる。続くステップＳ３１０では、フォーカルプレーンシャッタにより、上記ステップＳ３０４で演算されたシャッタ時間で制御する。そして、ＣＣＤ６に結像された画像信号を、クランプ／ＣＤＳ７、ＡＧＣ回路８、Ａ／Ｄ回路９を介して映像信号処理回路１０へ送出させ、所定の処理を行わせる。
【００４５】
次のステップＳ３１１では、マイクロコンピュータ１６は、クイックリターンミラー２を制御して撮影光路内にダウンさせると共に、撮影レンズ１と通信し、絞りを開放状態に制御させる。そして、次のステップＳ３１２にて、ＡＧＣ回路８に設定されたＩＳＯ値に対するゲイン値を送って感度調整を行い、メモリコントロール１３に画像信号を送り、バッファメモリ１９に画像を一時保存させる。
【００４６】
次のステップＳ３１３では、マイクロコンピュータ１６は、映像信号処理回路１０からのホワイトバランス情報を基に、適正な色になるように、この映像信号処理回路１０で用いる赤色（Ｒ）と青色（Ｂ）のゲインとを演算決定し、制御する。続くステップＳ３１４では、バッファメモリ１９に格納された未処理の画像を映像信号処理回路１０が画像処理できる負荷レベルであるときに処理し、圧縮し、メモリ１４に格納する動作をスタートさせる。連写等の場合は、バッファメモリ１９に画像が順次格納されるが、画像処理は停止した状態になることもある。
【００４７】
ステップＳ３１５では、マイクロコンピュータ１６は、撮影可能枚数の算出を行う。そして、次のステップＳ３１６にて、上記ステップＳ３１４で処理された画像信号を液晶駆動回路１１に送り、液晶表示部１２に表示させる。続くステップＳ３１７では、上記ステップＳ３０３〜Ｓ３１５で決定した撮影情報を液晶駆動回路２１に送り、外部液晶表示部２２に表示させる。同様に、ファインダ内液晶表示部２３にも表示させる。
【００４８】
次のステップＳ３１８では、マイクロコンピュータ１６は、メモリ１４に記録可能な領域が存在するかどうかの判定と未処理のバッファメモリ１９上の画像も考慮した判定を基に、撮影可能であるか、どうかの判定を行う。その結果、撮影可能である場合はステップＳ３０１へ戻り、同様の処理を繰り返す。一方、撮影可能でない場合はステップＳ３１９へ進み、撮影不可能状態であることを示す情報を外部液晶表示部２２やファインダ内液晶表示部２３に表示させる。
【００４９】
また、マイクロコンピュータ１６は、上記ステップＳ３０１にて電源ＯＦＦ用のタイマーがタイムアップしていたと判定した場合は上記のようにステップＳ３２０へ処理を進める。そして、このステップＳ３２０では、液晶駆動回路１１を介して液晶表示部１２を消灯させ、液晶表示部２３のバックライトも消灯させる。続くステップＳ３２１では、上記ステップＳ３１４でスタートさせた、画像処理と圧縮とメモリ格納をすべて終了させ、バッファメモリ１９の撮影画像領域が空になるのを待つ。そして、ステップＳ３２２にて、電源回路１７に必要無い電源は落とさせ、つまり電源ＯＦＦの状態にし、次のステップＳ３２３にて電源ＯＦＦの処理を終了する。
【００５０】
以上の実施例によれば、自動選択オートフォーカスモードが選択された場合は、ＡＦ用のＡＦエリアとして、隣接する測光エリアの境界に跨って配置されるＡＦエリアを有効にするようにしている。また、任意選択オートフォーカスモードが選択された場合は、測光エリアの中央付近に配置されるＡＦエリアを有効とするようにしている。
【００５１】
そして、自動選択ＡＦモード時には、自動選択されたＡＦエリアが跨る測光エリアのうちの輝度の低い方の測光エリアにて得られる測光情報を基準に露光制御を行う。また、任意選択ＡＦモード時には、任意に選択されたＡＦエリアを中央付近に有する測光エリアにて得られる測光情報を基準に露出制御を行うようにしている。
【００５２】
よって、自動選択ＡＦモードにて撮影した場合、顔の輪郭に合焦したとしても安定して適正露出が得られ、任意選択ＡＦモードにて撮影した場合、目に合焦させても適正露出が得られるようになった。つまり、ＡＦモードによらず、適正な露出を与えることができるカメラを提供可能になった。
【００５３】
（本発明と実施例の対応）
ＡＥセンサ２５が、本発明の、撮影画面を複数に分割して測光を行う複数の測光エリア３０を持つ測光手段に相当する。また、ＡＦセンサ２４が、本発明の、測光エリアの中央付近に配置されるＡＦエリア３１ａと、隣接する測光エリアの境界に跨って配置されるＡＦエリア３１ｂをそれぞれ複数持つＡＦ手段に相当する。また、マイクロコンピュータ１６の図５におけるステップＳ１０１〜Ｓ１０３の動作を実行する部分が、本発明の、ＡＦエリア有効手段に相当する。また、マイクロコンピュータ１６の図６におけるステップＳ１１１〜Ｓ１１３の動作を実行する部分が、本発明の、露出制御手段に相当する。
【符号の説明】
【００５４】
１      撮影レンズ
１ａ    ＡＦ駆動回路
６      ＣＣＤ
１０    映像信号処理回路
１３    メモリコントローラ
１６    マイクロコンピュータ
１８    操作状態検出回路
３０    測光エリア
３１    ＡＦエリア
【図１】
2010190925.tif 000003
【図２】
2010190925.tif 000004
【図３】
2010190925.tif 000005
【図４】
2010190925.tif 000006
【図５】
2010190925.tif 000007
【図６】
2010190925.tif 000008
【図７】
2010190925.tif 000009
【図８】
2010190925.tif 000010